【手続補正書】
【提出日】平成28年6月21日(2016.6.21)
【手続補正１】
【補正対象書類名】特許請求の範囲
【補正対象項目名】全文
【補正方法】変更
【補正の内容】
【特許請求の範囲】
【請求項１】
シートを保持するシート保持手段と、
前記シート保持手段に保持されたシートの情報を設定する設定手段と、
前記設定手段によって設定されたシートの情報に従って画像を印刷する印刷制御手段とを有し、
前記印刷制御手段は、前記シート保持手段にシートが保持されたときに前記シート保持手段を使用するジョブが中断されている場合に、当該ジョブで指定されたシートの情報に従って印刷を行うことを特徴とする印刷装置。
【請求項２】
前記シート保持手段にシートが保持されたときに前記シート保持手段を使用するジョブが中断されている場合に、当該ジョブで指定されたシートの情報を表示部に表示させる表示制御手段を更に有し、前記印刷制御手段は、前記表示制御手段によって前記ジョブで指定されたシートの情報が前記表示部に表示された後、前記ジョブで指定されたシートの情報に従って印刷を行うことを特徴とする請求項１に記載の印刷装置。
【請求項３】
前記印刷制御手段は、前記表示制御手段によって前記ジョブで指定されたシートの情報が前記表示部に表示された後、前記ジョブで指定されたシートの情報に従って、前記ジョブで指定されたシートの情報に従って印刷を行うことを特徴とする請求項２に記載の印刷装置。
【請求項４】
前記表示制御手段は、前記ジョブで指定されたシートの情報が前記表示部に表示された後、前記中断されたジョブがキャンセルされた場合に、前記表示部に、前記シート保持手段に保持されたシートの情報を複数のシート情報の中から選択するための画面を表示することを特徴とする請求項２に記載の印刷装置。
【請求項５】
前記シート保持手段にシートが保持されたときに前記シート保持手段を使用するジョブが中断されていなければ、前記シート保持手段に保持されたシートの情報を複数のシート情報の中から選択するための画面を介してシートの情報を受け付ける受付手段を更に有することを特徴とする請求項１乃至４のいずれか１項に記載の印刷装置。
【請求項６】
予め設定されたシートの情報を記憶する記憶手段を更に有し、
前記印刷制御手段は、前記記憶手段によって前記シートの情報が記憶されている場合、前記記憶手段に記憶されているシートの情報に従って印刷を行うことを特徴とする請求項１乃至５のいずれか１項に記載の印刷装置。
【請求項７】
前記シート保持手段は、手差しトレイであることを特徴とする請求項１乃至６のいずれか１項に記載の印刷装置。
【請求項８】
前記シートの情報は、シートのサイズまたはシートの種類であることを特徴とする請求項１乃至７のいずれか１項に記載の印刷装置。
【請求項９】
シートを保持するシート保持手段と、
前記シート保持手段に保持されたシートの情報を設定する設定手段と、
前記設定手段によって設定されたシートの情報に従って画像を印刷する印刷制御手段とを有し、
前記設定手段は、前記シート保持手段にシートが保持されたときに、シートの情報が予め関連付けられたボタンを表示する画面を介して選択されたボタンに対応するシートの情報を設定することを特徴とする印刷装置。
【請求項１０】
シートを保持するシート保持手段と、
前記シート保持手段に保持されたシートの情報を設定する設定手段と、
前記設定手段によって設定されたシートの情報に従って画像を印刷する印刷手段と、
前記シート保持手段にシートが保持されたときに前記シート保持手段を使用するジョブが停止している場合に、前記ジョブで使用されているシートの情報と、前記情報が前記シート保持手段に保持されたシートに適しているかどうかの確認を促す表示とを表示部に表示させ、前記表示された情報が前記シート保持手段に保持された前記シートに適していると確認されると、前記情報に基づいて前記印刷手段が印刷を実行するように制御する制御手段と、
を有することを特徴とする印刷装置。
【請求項１１】
シートを保持するシート保持手段と、
前記シート保持手段に保持されたシートの属性を設定する設定手段と、
前記設定手段によって設定されたシートの属性に従って画像を印刷する印刷手段と、
前記シート保持手段にシートが保持されたとき、シート無しにより前記シート保持手段を使用するジョブが停止している場合に、前記ジョブで指示されたシートの情報に基づいて前記設定手段にシートの属性を設定させ、
前記シート保持手段にシートが保持されたとき、シート無しにより前記シート保持手段を使用するジョブが停止していない場合に、ユーザからのシートの情報を受付ける画面を表示部に表示させ、前記画面を介して受け付けた情報に基づいて前記設定手段にシートの属性を設定させるように制御する制御手段と、
を有することを特徴とする印刷装置。
【請求項１２】
印刷装置を制御する制御方法であって、
シートを保持するシート保持手段に保持されたシートの情報を、当該シートの情報に従って印刷部に印刷させるために設定する設定工程と、
前記シート保持手段にシートが保持されたときに前記シート保持手段を使用するジョブが中断されている場合に、当該ジョブで指定されたシートの情報に従って前記印刷部に印刷を行わせる制御工程と、
を有することを特徴とする印刷装置の制御方法。
【請求項１３】
印刷装置を制御する制御方法であって、
シートを保持するシート保持部に保持されたシートの情報を、当該シートの情報に従って印刷部に印刷させるために設定する設定工程と、
前記シート保持部にシートが保持されたときに前記シート保持部を使用するジョブが停止している場合に、前記ジョブで使用されているシートの情報と、前記情報が前記シート保持部に保持されたシートに適しているかどうかの確認を促す表示とを表示部に表示させ、前記表示された情報が前記シート保持部に保持された前記シートに適していると確認されると、前記情報に基づいて前記印刷部が印刷を実行するように制御する制御工程と、
を有することを特徴とする印刷装置の制御方法。
【請求項１４】
印刷装置を制御する制御方法であって、
印刷部にシートの属性に基づいて印刷させるためにシートを保持するシート保持部に保持されたシートの属性を設定する設定工程と、
前記シート保持部にシートが保持されたとき、シート無しにより前記シート保持部を使用するジョブが停止している場合に、前記ジョブで指示されたシートの情報に基づいて前記設定工程にシートの属性を設定させ、
前記シート保持部にシートが保持されたとき、シート無しにより前記シート保持部を使用するジョブが停止していない場合に、ユーザからのシートの情報を受付ける画面を表示部に表示させ、前記画面を介して受け付けた情報に基づいて前記設定工程にシートの属性を設定させるように制御する制御工程と、
を有することを特徴とする印刷装置の制御方法。
【請求項１５】
コンピュータに、請求項１２乃至１４のいずれか１項に記載の印刷装置の制御方法の各工程を実行させるためのプログラム。
【手続補正２】
【補正対象書類名】明細書
【補正対象項目名】発明の名称
【補正方法】変更
【補正の内容】
【発明の名称】印刷装置及びその制御方法、プログラム
【手続補正３】
【補正対象書類名】明細書
【補正対象項目名】０００１
【補正方法】変更
【補正の内容】
【０００１】
本発明は、印刷装置及びその制御方法、プログラムに関するものである。
【手続補正４】
【補正対象書類名】明細書
【補正対象項目名】０００７
【補正方法】変更
【補正の内容】
【０００７】
本発明の特徴は、シート保持部にシートが保持されたときにシート保持部を使用するジョブが中断されている場合に、ジョブで指定されたシートの情報に従って印刷を行う技術を提供することにある。
【手続補正５】
【補正対象書類名】明細書
【補正対象項目名】０００８
【補正方法】変更
【補正の内容】
【０００８】
上記目的を達成するために本発明の一態様に係る印刷装置は以下のような構成を備える。即ち、
シートを保持するシート保持手段と、
前記シート保持手段に保持されたシートの情報を設定する設定手段と、
前記設定手段によって設定されたシートの情報に従って画像を印刷する印刷制御手段とを有し、
前記印刷制御手段は、前記シート保持手段にシートが保持されたときに前記シート保持手段を使用するジョブが中断されている場合に、当該ジョブで指定されたシートの情報に従って印刷を行うことを特徴とする。
【手続補正６】
【補正対象書類名】明細書
【補正対象項目名】０００９
【補正方法】変更
【補正の内容】
【０００９】
本発明によれば、シート保持部にシートが保持されたときにシート保持部を使用するジョブが中断されている場合に、ジョブで指定されたシートの情報に従って印刷を行うことができる。
【手続補正７】
【補正対象書類名】明細書
【補正対象項目名】００５６
【補正方法】変更
【補正の内容】
【００５６】
次にＳ１１０７でＣＰＵ２０１は、図１２の画面でＯＫボタン１２０２或いは用紙変更ボタン１２０３が押下されたかを判定する。ＣＰＵ２０１が、ＯＫボタン１２０２が押下されたと判定した場合はＳ１１０８に処理を進め、ＣＰＵ２０１は、Ｓ１１０５で取得した用紙情報を、図１０（Ａ）の手差しフィールドに設定して登録する。そしてＳ１１０９に進みＣＰＵ２０１は、図１２の手差し用紙セットの確認画面を閉じて、この処理を終了する。
【手続補正８】
【補正対象書類名】明細書
【補正対象項目名】００５７
【補正方法】変更
【補正の内容】
【００５７】
一方、Ｓ１１０７で、ＣＰＵ２０１が、図１２の用紙変更ボタン１２０３が押下されたことを検知した場合、或いはＳ１１０４で、ＣＰＵ２０１が手差しの用紙なし中断が発生していないと判定した場合はＳ１１１０に進む。Ｓ１１１０でＣＰＵ２０１は、表示部２０３に図６（Ａ）に示す用紙サイズの設定画面を表示する。ここでユーザは、用紙サイズと用紙種類の設定を行うことになる。こうしてＳ１１１１に進み、ＣＰＵ２０１は、用紙情報の入力が確定したことを確認するとＳ１１０８に進み、ＣＰＵ２０１は、その設定された用紙情報を、図１０（Ａ）の手差しのフィールドに設定して処理を終了する。
【手続補正９】
【補正対象書類名】明細書
【補正対象項目名】００７０
【補正方法】変更
【補正の内容】
【００７０】
一方、Ｓ１４０２でＣＰＵ２０１が、「セットする毎」が設定されていると判定したときはＳ１４０４に処理を進め、図１０（Ｄ）の「よく使う設定」がオンかオフかを判定する。オンの場合はＳ１４０５に処理を進め、ＣＰＵ２０１は表示部２０３に、図９に示すよく使う用紙の用紙情報の設定画面を表示する。
【手続補正１０】
【補正対象書類名】明細書
【補正対象項目名】００７２
【補正方法】変更
【補正の内容】
【００７２】
一方Ｓ１４０６でＣＰＵ２０１が、その他の用紙ボタン９０６が押下されたと判定した場合、或いはＳ１４０４で、図１０（Ｄ）のよく使う設定がオフであると判定した場合はＳ１４０９に処理を進める。Ｓ１４０９でＣＰＵ２０１は、表示部２０３に図６（Ａ）の用紙サイズの設定画面を表示して、ユーザに用紙サイズと用紙種類の設定を行わせる。そしてＳ１４１０でＣＰＵ２０１は、用紙情報の入力が確定したと判定するとＳ１４０９で設定された用紙情報を図１０（Ａ）の手差しのフィールドに設定して、この処理を終了する。